(57)【要約】【課題】ボーダー部材と壁面との隙間が残っても、床台が位置ずれしたりガタついたりせず歩行感が良く、また隣り合う床台同士も衝突しない床台ユニットを提供する。【解決手段】平面が長方形または正方形の規格サイズで、裏面四隅に脚部を有する床台を室内床に複数個敷設し、壁面と床台との隙間にボーダー部材を設置して、床高さを所定の高さに嵩上げする床台ユニットにおいて、各辺が各々直交する四辺形の床面を有し、前記床面の裏面四隅に脚部を有する床台を室内床に複数個敷設し、壁面と床台との隙間にはボーダー部材を設置して、床高さを所定の高さに嵩上げする床台ユニットにおいて、前記床台は前記ボーダー部材を支持する隙間調整板材を有し、前記隙間調整板材は薄板からなり、前記床台の各隅部から、各辺に直交かつ伸縮自在に前記床台に係止されていることを特徴とする。【選択図】図１
2004278153.tif 000002
【特許請求の範囲】
【請求項１】
各辺が各々直交する四辺形の床面を有し、前記床面の裏面四隅に脚部を有する床台を室内床に複数個敷設し、壁面と床台との隙間にはボーダー部材を設置して、床高さを所定の高さに嵩上げする床台ユニットにおいて、前記床台は前記ボーダー部材を支持する隙間調整板材を有し、前記隙間調整板材は薄板からなり、前記床台の各隅部から、各辺に直交かつ伸縮自在に前記床台に係止されていることを特徴とする床台ユニット。
【請求項２】
前記ボーダー部材は、複数の細幅部材を幅方向に互いに着脱可能に連結されていることを特徴とする請求項１に記載の床台ユニット。
【請求項３】
前記床台は、前記床面の長辺の長さが短辺の長さの整数倍の長さの長床台と、一辺の長さが前記長床台の短辺と等しい長さの正方形の短床台とからなることを特徴とする請求項１または２に記載の床台ユニット。
【請求項４】
前記ボーダー部材は前記長床台の短辺と等しい長さの短ボーダー部材と、長辺と等しい長さの長ボーダー部材との２種類のボーダー部材で構成され、これらの前記床台と前記ボーダー部材を室内床に設置した時に前記ボーダー部材に隣接して室内の壁との間に形成される入隅部の隙間を覆う隅部カバーを有し、前記隅部カバーは、短辺の長さが少なくとも前記長床台の短辺の長さの１／２より大きく、かつ、各辺が各々直交する四辺形の板材で構成され、該板材の裏面の１つの角部付近には鉛直下方に室内床に達する長さの脚部を有することを特徴とする請求項３に記載の床台ユニット。
【発明の詳細な説明】
【０００１】
【発明の属する技術分野】
本発明は、室内床に複数の床台を敷設し、壁面と床台との隙間にボーダー部材を設置して、床高さを所定の高さに嵩上げする床台ユニットに関するもので、特に、浴室洗い場床面と出入り口との間の段差を解消するため洗い場床面に設置する床台ユニットに関する。
【０００２】
【従来の技術】
従来の室内床に複数の床台を敷設し、壁面と床台との隙間にボーダー部材を設置して、床高さを所定の高さに嵩上げする床台ユニットは、その壁面と床台との隙間の大きさに応じてボーダー部材の幅が調整できるように工夫されたものが現場での設置作業が容易であり、床台の端部に、互いに幅方向に嵌合接続した複数の細長板からなるボーダー部材を係止して、壁面と床台との隙間を覆ったものが考案されている（例えば、特許文献１参照。）。また、床台の下面から壁面に亘る床上に載置される枕木状のベース部材と、前記ベース部材上にそれと直行した向きで複数本架設される細幅の床板片とからなるボーダー部材構造が考案されている（例えば、特許文献２参照。）。
【０００３】
【特許文献１】
特開平１０−２１９９８４号公報
【特許文献２】
特開平７−１３９１４１号公報
【０００４】
【発明が解決しようとする課題】
しかしながら、上記のようなボーダー部材構造では、ボーダー部材の幅調整は構成している細長板もしくは細幅の床板片の幅が最小調整単位であり、壁面との隙間を完全に埋めるように無段階に調整することは出来ずボーダー部材と壁面との隙間が残り、特許文献１の床台は位置ずれしたりガタついたりして歩行感が悪く、また隣り合う床台同士の衝突で破損したり異音が発生するといった問題がある。
【０００５】
また特許文献２の床台は、ベース部材が床台に固定されていないため、ボーダー部材と壁面との隙間が残れば、床台が位置ずれしたりガタついたりして歩行感が悪く、また隣り合う床台同士の衝突で破損したり異音が発生するといった問題があり、隙間を残さない手段として、ゴム系発泡体等による隙間部材を隙間に詰めることが開示されているが、そのような隙間部材を装着する手間がかかり、またコストも上がってしまう問題がある。
【０００６】
また、入隅部の隙間調整で、床台の直行して隣り合う２つの側辺の外側にそれぞれボーダー部材を設置しようとした場合、少なくとも一方のボーダー部材は隙間の大きさに合わせて長さを調整する必要があり、ボーダー部材の切断等の加工作業が発生し手間が掛かるといった問題がある。
【０００７】
【課題を解決するための手段および作用・効果】
本発明は、上記課題を解決するためになされたもので、本発明の目的は、ボーダー部材と壁面との隙間が残っても、床台が位置ずれしたりガタついたりせず歩行感が良く、また隣り合う床台同士も衝突しない床台ユニットを提供することにある。
また、室内の入隅部の隙間調整で、床台の直行して隣り合う２つの側辺の外側にそれぞれボーダー部材を設置しようとした場合、ボーダー部材を切断等により長さを調整する必要のない床台ユニットを提供することにある。
【０００８】
上記目的を達成するためになされた請求項１記載の発明は、各辺が各々直交する四辺形の床面を有し、前記床面の裏面四隅に脚部を有する床台を室内床に複数個敷設し、壁面と床台との隙間にはボーダー部材を設置して、床高さを所定の高さに嵩上げする床台ユニットにおいて、前記床台は前記ボーダー部材を支持する隙間調整板材を有し、前記隙間調整板材は薄板からなり、前記床台の各隅部から、各辺に直交かつ伸縮自在に前記床台に係止されていることを特徴とする。
【０００９】
本発明において、隙間調整板材を床台の側辺両端部から壁面に隙間なく垂直に当接させることができ、床台は位置ずれすることなく安定して設置され、また、隙間調整板材は薄板なので、２つの隙間調整板材を交差させて重ね合わせてもボーダー部材をほぼ同じ高さで支持できるので、入隅部の隙間調整の際、隙間調整板材を床台の直行して隣り合う２つの側辺の端部からそれぞれ側辺に直行して無段階に伸出調節して固定して、床台の直行して隣り合う２つの側辺の外側にそれぞれボーダー部材を設置できる。
【００１０】
請求項２記載の発明は、請求項１に記載の発明に加えて、前記ボーダー部材は、複数の細幅部材を幅方向に互いに着脱可能に連結されていることを特徴とする。
【００１１】
本発明において、ボーダー部材の幅は隙間調整板材の伸出寸法にほぼ合うように容易に調整できる。
【００１２】
請求項３記載の発明は、請求項１または２に記載の発明に加えて、前記床台は、前記床面の長辺の長さが短辺の長さの整数倍の長さの長床台と、一辺の長さが前記長床台の短辺と等しい長さの正方形の短床台とからなることを特徴とする
本発明において、直角四辺形の通常の室内床に複数の床台を敷設する場合、長床台と短床台とを組合わせれば、どんな室内床にも近似の形状に床台を配置できて壁面と床台との隙間を最少に出来る。
【００１３】
請求項４記載の発明は、請求項３に記載の発明に加えて、前記長床台の短辺と等しい長さの短ボーダー部材と、長辺と等しい長さの長ボーダー部材との２種類のボーダー部材で構成され、これらの前記床台と前記ボーダー部材を室内床に設置した時に前記ボーダー部材に隣接して室内の壁との間に形成される入隅部の隙間を覆う隅部カバーを有し、前記隅部カバーは、短辺の長さが少なくとも前記長床台の短辺の長さの１／２より大きく、かつ、各辺が各々直交する四辺形の板材で構成され、該板材の裏面の１つの角部付近には鉛直下方に室内床に達する長さの脚部を有することを特徴とする。
【００１４】
本発明において、ボーダー部材で入隅部の隙間を埋める必要がなく、ボーダー部材を隙間の大きさに合わせて現場で切断加工する必要がなくなり、ボーダー部材を構成する細幅部材は規格サイズで使用可能となる。また、床台と壁面との隙間幅は、長方形の床台の短辺長さを超えないため、床面四方外周にボーダー部材を設置すれば、ボーダー部材の必要最大幅は長方形の床台の短辺長さの１／２であるため、隅部カバーの板材の一辺長さが長方形の床台の短辺長さの１／２よりやや大きければ、隅部カバーは床台と壁面との隙間の大きさにかかわらず、１つの規格サイズで、その隣り合う２辺をボーダー部材に係止し入隅部頂点側で脚部により床面から支持するように設置して隙間を覆うことが可能となる。
【００１５】
【発明の実施の形態】
以下、本発明の実施形態の例を説明する。図１は床台ユニットの実施例の構成図で、長方形床台１ａおよび正方形床台１ｂによって構成される。図２は長方形床台１ａの斜視図、図３は図２の長方形床台１ａのＴ−Ｔ’断面図、図４は長方形床台１ａの裏面平面図である。長方形床台１ａは、短辺と長辺の長さ比率が１：２の平面が長方形の床板２ａと、架台３ａとからなり、また、正方形床台１ｂは、一辺長さが長方形床台１ａの短辺と等しい平面が正方形の床板２ｂと、架台３ｂとからなる。尚、正方形床台１ｂについては図示しないが長方形床台１ａと辺の長さが異なるだけで、他は同様である。以下すべて正方形床台１ｂの詳細については図示を省略する。
【００１６】
架台３ａ、３ｂは４つのコーナー部材４と、縦フレーム５、横フレーム６とからなり、４つのコーナー部材４にはそれぞれネジ穴部７が設けられ、ネジ軸部を有する脚柱８がネジ穴部７に螺入出自在にネジ止めされている。また、各コーナー部材４の下面には２本のネジ軸９が垂下している。ネジ軸９はその軸心と脚部８の軸心とを結ぶ線が縦フレーム５、横フレーム６に対しそれぞれ垂直となる位置に付いている。
【００１７】
そして長さ方向にスリット溝１０を有し、ネジ軸部を有する脚部１１が螺入出自在にネジ止め可能なネジ部１２を一方の長さ方向端部裏面に有する薄板状の隙間調整板材１３が、スリット溝１０に脚部８とネジ軸９が貫通した状態でネジ軸９にナット１４を締めて、コーナー部材４の下面に着脱可能に取り付けられるようになっている。隙間調整板材１３の脚部側の先端は上向きに折り曲げて当接部１５を設けている。
【００１８】
ボーダー部材は、長方形床台１ａの長辺と長さが等しい長ボーダー部材１６ａと、床台１ａの短辺と長さが等しい短ボーダー部材１６ｂを用いる。図５、図６は短ボーダー部材１６ｂの斜視図および説明図である。短ボーダー部材１６ｂは、細幅部材１７ｂからなり、２つの側面のうち、一方にスペーサー部１８とダボピン１９が、他方にはダボ穴２０が設けられ、ダボピン１９がダボ穴２０に嵌合して、細幅部材１７ｂがスペース２７の等間隔おきに複数個連結できるようになっている。そして、図７に示すように、床台と壁面との隙間に合わせて側辺の両端から伸出させた隙間調整板材１３の上に載置できるようになっている。長ボーダー部材１６ａも上記の短ボーダー部材１６ｂと同様の構成となっている。
【００１９】
上記のような構成で、まず床台を室内床に複数個敷設し、敷設しきれずに残った床台と壁面との隙間に、隙間調整板材１３を床台の側辺両端部から壁面に隙間なく垂直に当接させて隙間を埋め、床台を位置ずれすることなく設置させ、上記のように長ボーダー部材１６ａ、短ボーダー部材１６ｂを隙間幅に合わせて適宜設置し、床台高さおよびボーダー部材高さを、脚部８および脚部１１の締め込み量を調節して所定の高さに調整する。
【００２０】
この時、入隅部で図８のように平面が方形の隙間Ｃが残る場合は、この隙間Ｃを隅部カバー２１で覆う。図９は隅部カバー２１を斜め下方から見た斜視図である。隅部カバー２１は一辺長さが長方形床台１ａの短辺長さの１／２よりやや大きい略正方形の板材２２からなり、板材２２の裏面の一隅部にネジ穴部２３を有し、ネジ軸部を有する脚部２４が螺入出自在にネジ止めされている。また、板材２２の裏面のネジ穴部２３のある隅部と隣り合う２つの隅部付近に、それぞれ突起部２５、２６が設けられている。
【００２１】
隙間Ｃへの隅部カバー２１の取り付けは、長方形床台１ａに取り付ける場合、図１０に示すように脚部２４を入隅部頂点側に向けて隙間Ｃへ差し込み、突起部２５、２６を床台長辺側の長ボーダー部材１６ａと床台短辺側の短ボーダー部材１６ｂのそれぞれ最も壁面側のスペース２７に嵌めて、板材２２の２辺を長ボーダー部材１６ａと短ボーダー部材１６ｂの端部にそれぞれ係止させ、板材２２が水平に支持されるように脚部２４の高さをネジ穴部２３への締め込み量を調整して合わせる。
【００２２】
【発明の効果】
本発明は上記構成により、ボーダー部材と壁面との隙間が残っても、床台が位置ずれしたりガタついたりせず歩行感が良く、また隣り合う床台同士も衝突しない床台ユニットを提供できる。
また、入隅部の隙間調整で、床台の直行して隣り合う２つの側辺の外側にそれぞれボーダー部材を設置しようとした場合、ボーダー部材を切断等により長さを調整する必要のない床台ユニットを提供できる。
【図面の簡単な説明】
【図１】本発明の実施例の全体の構成図である。
【図２】長方形床台１ａの斜視図である。
【図３】図２の長方形床台１ａのＴ−Ｔ’断面図である。
【図４】長方形床台１ａの裏面平面図である。
【図５】短ボーダー部材１６ｂの斜視図である。
【図６】短ボーダー部材１６ｂの説明図である。
【図７】隙間調整板材１３および短ボーダー部材１６ｂの設置状態の説明図である。
【図８】入隅部の納まりの説明図である。
【図９】隅部カバー２１の斜視図である。
【図１０】入隅部の納まりの説明図である。
【符号の説明】
１ａ    長方形床台
１ｂ    正方形床台
２ａ    床板
２ｂ    床板
３ａ    架台
３ｂ    架台
４      コーナー部材
５      縦フレーム
６      横フレーム
７      ネジ穴部
８      脚部
９      ネジ軸
１０    スリット溝
１１    脚部
１２    ネジ部
１３    隙間調整板材
１４    ナット
１５    当接部
１６ａ  長ボーダー部材
１６ｂ  短ボーダー部材
１７ｂ  細幅部材
１８    スペーサー部
１９    ダボピン
２０    ダボ穴
２１    隅部カバー
２２    板材
２３    ネジ穴部
２４    脚部
２５    突起部
２６    突起部
２７    スペース
Ａ      壁
Ｂ      床
Ｃ      隙間
Ｄ      浴槽
【図１】
2004278153.tif 000003
【図２】
2004278153.tif 000004
【図３】
2004278153.tif 000005
【図４】
2004278153.tif 000006
【図５】
2004278153.tif 000007
【図６】
2004278153.tif 000008
【図７】
2004278153.tif 000009
【図８】
2004278153.tif 000010
【図９】
2004278153.tif 000011
【図１０】
2004278153.tif 000012